(57)【要約】【課題】電球の誤装着を阻止し、且つ光学特性が向上された照明器具を得る。【解決手段】照明器具１０００は、電球が取り付けられる照明器具１０００であって、電球の口金が取り付けられるソケット２２０と、電球が放射した光を照明対象に向けて反射する反射面２３０ａを有する反射部材２３０と、ソケット２２０および反射部材２３０が取り付けられた本体部２１０と、を有し、反射部材２３０は、当該照明器具１０００に適用される適用電球３００と比較して大きい直径を有する適用外電球３５０をソケットに取り付けようとしたときに、取り付ける途中で適用外電球３５０と当接する、ものである。【選択図】図７
2016219189.tif 000002
【特許請求の範囲】
【請求項１】
電球が取り付けられる照明器具であって、
電球の口金が取り付けられるソケットと、
電球が放射した光を照明対象に向けて反射する反射面を有する反射部材と、
前記ソケットおよび前記反射部材が取り付けられた本体部と、を有し、
前記反射部材は、当該照明器具に適用される適用電球と比較して大きい直径を有する適用外電球を前記ソケットに取り付けようとしたときに、取り付ける途中で前記適用外電球と当接する、
照明器具。
【請求項２】
前記反射部材は、前記反射面が形成された面が周囲部から中央部に向けて前記照明対象に向かって傾斜した傾斜面を含む山形形状を有し、
前記適用電球が前記ソケットに取り付けられたときに、前記適用電球の側部が、前記傾斜面と対向する、
請求項１に記載の照明器具。
【請求項３】
周方向に沿って、複数の前記ソケットが配設された、
請求項１または請求項２に記載の照明器具。
【請求項４】
前記本体部には、当該照明器具を固定対象に固定させる固定部が形成されており、
前記固定部は、前記反射面の裏面側で前記反射部材に覆われている、
請求項１〜請求項３の何れか一項に記載の照明器具。
【請求項５】
前記本体部には、前記ソケットから延びる電線を前記本体部の外部に引き出す電線引出部が形成されており、
前記電線引出部は、前記反射面の裏面側で前記反射部材に覆われている、
請求項１〜請求項４の何れか一項に記載の照明器具。
【請求項６】
前記適用電球は、内部にＬＥＤが配設されたＬＥＤ電球である、
請求項１〜請求項５の何れか一項に記載の照明器具。
【請求項７】
前記適用外電球は、１００型の電球である、
請求項１〜請求項６の何れか一項に記載の照明器具。
【発明の詳細な説明】
【技術分野】
【０００１】
この発明は、電球が取り付けられる照明器具に関する。
【背景技術】
【０００２】
従来から、白熱電球が誤装着されることを防止する誤装着防止手段を備えた照明器具が知られている（例えば特許文献１参照）。特許文献１に記載された従来の照明器具では、誤装着防止手段が、ＬＥＤランプを挿入する挿入口の内側に向かって突出している。
【先行技術文献】
【特許文献】
【０００３】
【特許文献１】特開２０１３−１４３２２９号公報
【発明の概要】
【発明が解決しようとする課題】
【０００４】
しかしながら、特許文献１に記載された従来の照明器具では、電球が放射した光が、誤装着防止手段によって遮られるため、光学特性が悪化している。
【０００５】
この発明は、上記のような課題を背景としてなされたものであり、電球の誤装着を阻止し、且つ光学特性が向上された照明器具を得ることを目的としている。
【課題を解決するための手段】
【０００６】
この発明に係る照明器具は、電球が取り付けられる照明器具であって、電球の口金が取り付けられるソケットと、電球が放射した光を照明対象に向けて反射する反射面を有する反射部材と、ソケットおよび反射部材が取り付けられた本体部と、を有し、反射部材は、当該照明器具に適用される適用電球と比較して大きい直径を有する適用外電球をソケットに取り付けようとしたときに、取り付ける途中で適用外電球と当接する、ものである。
【発明の効果】
【０００７】
この発明によれば、電球の誤装着を阻止し、且つ光学特性が向上された照明器具を得ることができる。
【図面の簡単な説明】
【０００８】
【図１】この発明の実施の形態１に係る照明器具の一例を下方から見た模式図である。
【図２】図１に記載の照明器具を側方から見た模式図である。
【図３】図１および図２に記載の照明器具の断面の一例を模式的に記載した図である。
【図４】図３に記載の本体部を模式的に記載した図である。
【図５】図４に記載の本体部に、反射部材を取り付けた状態を模式的に記載した図である。
【図６】図５に記載の反射部材を取り付けた本体部に、適用電球を取り付けた状態を模式的に記載した図である。
【図７】図３の比較例であり、適用外電球を取り付けようとしたときの状態を説明する図である。
【図８】図６の比較例であり、適用外電球を取り付けようとしたときの状態を説明する図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
（照明器具）
図１は、この発明の実施の形態１に係る照明器具の一例を下方から見た模式図であり、図２は、図１に記載の照明器具を側方から見た模式図であり、図３は、図１および図２に記載の照明器具の断面の一例を模式的に記載した図であり、図４は、図３に記載の本体部を模式的に記載した図である。図１および図２に示すように、この実施の形態に係る照明器具１０００は、例えば天井等の固定対象に取り付けられるものである。なお、照明器具１０００は、壁または柱等に取り付けられることもできる。照明器具１０００は、図３に記載の適用電球３００が点灯することによって、例えば、床面、壁面および室内空間等の照明対象に光を照射する。適用電球３００は、例えば、内部にＬＥＤが配設されたＬＥＤ電球であり、照明器具１０００は、適用電球３００の定格等に合わせた仕様となっている。図２および図３に示すように、照明器具１０００は、器具本体２００とカバー１００とを有する。
【００１１】
（カバー）
カバー１００は、器具本体２００に着脱自在に取り付けられ、器具本体２００の開口部を覆うものである。カバー１００が取り外された状態で、適用電球３００の着脱が行われる。カバー１００は、透光性を有する材料で形成されており、適用電球３００から放射された光を外部に透過させる。カバー１００は、適用電球３００から放射された光を拡散させる機能を有していてもよい。カバー１００は、例えば、ポリカーボネート（ＰＣ）またはアクリル（ＰＭＭＡ）等の樹脂材料で形成されている。カバー１００は、例えば、図３に示すように、湾曲した曲面を有しており、中央部が照明対象側に膨らんだ形状を有している。カバー１００は、例えば、図３に示すように、開口端部にねじ切り加工等で形成された係合部１００ａを有しており、器具本体２００の筒形状部２１１の開口端部に形成された係合部２１１ａとの組み合わせによって、器具本体２００に螺着される。
【００１２】
（器具本体）
器具本体２００は、本体部２１０とソケット２２０と反射部材２３０とを有している。本体部２１０は、例えば、開口を有する有底形状を有しており、底部を形成するベース部２１２とベース部２１２から照明対象に向かって突出する筒部を形成する筒形状部２１１とを含んで構成されている。
【００１３】
図４に示すように、ベース部２１２には、電線引出部２１２ａ、固定部２１２ｂおよび切り起こし部２１２ｃが形成されている。電線引出部２１２ａは、図示を省略してある電線を通す穴である。図示を省略してある電線は、ソケット２２０と図示を省略してある電源端子台とを電気的に接続するものである。図３に示すように、電線引出部２１２ａには、ブッシュ２４０が取り付けられており、電線を保護するようになっている。図４の固定部２１２ｂは、照明器具１０００を固定対象の天井等に固定させるために利用される穴である。固定部２１２ｂには、図３に記載のネジ２５０が挿入され、照明器具１０００が天井等にネジ固定される。切り起こし部２１２ｃは、反射部材２３０を取り付けるために利用されるものであり、ベース部２１２に切り起こし加工を施すことによって形成されている。なお、図４に示す例の本体部２１０には、１つの電線引出部２１２ａおよび２つの固定部２１２ｂが形成されているが、電線引出部２１２ａおよび固定部２１２ｂの数量は特に限定されるものではない。電線引出部２１２ａは、２つ以上形成されていてもよく、固定部２１２ｂは、１つまたは３つ以上形成されていてもよい。
【００１４】
図３に示すように、ソケット２２０および反射部材２３０は、本体部２１０のベース部２１２に取り付けられている。ソケット２２０は、適用電球３００の口金（図示を省略）が取り付けられる受金である。なお、図示を省略してある適用電球３００の口金は、例えば、Ｅ１７口金であるが、適用電球３００は、他のタイプの口金を有するものであってもよい。ソケット２２０は、例えば、ベース部２１２に設けられた取付部２２１を介して、ベース部２１２に取り付けられている。取付部２２１は、ソケット２２０が取り付けられる角度を調整するものである。取付部２２１は、例えば、ベース部２１２に切り起こし加工等を施すことによってベース部２１２と一体的に形成されるものであるが、取付部２２１は、ベース部２１２とは別部材で構成されベース部２１２に取り付けられていてもよい。ソケット２２０は、例えば適用電球３００等の電球がソケット２２０に取り付けられたときに、電球のバルブ部の側部が、反射部材２３０の反射面２３０ａと対向するように配設されている。例えば、適用電球３００の軸は、電球の側部が対向する反射面２３０ａの部分と実質的に平行となる。なお、この実施の形態では、２つの適用電球３００を備え、２つの適用電球３００が周方向に沿って１８０度の間隔で配設された照明器具１０００の例についての説明を行うが、２つの適用電球３００のそれぞれが取り付けられるソケット２２０は、１８０度以外の間隔を隔てて配設されていてもよい。また、ソケット２２０の数は２つに限定されるものではなく、１つまたは３つ以上であってもよい。例えば、３つのソケット２２０を備える場合は、３つのソケット２２０は、１２０度の間隔で配設され、４つのソケット２２０を備える場合は、４つのソケット２２０は、９０度の間隔で配設される。
【００１５】
反射部材２３０は、適用電球３００が放射した光を照明対象に向けて反射する反射面２３０ａを有する。反射部材２３０は、例えば、反射面２３０ａが形成された面が周囲部から中央部に向けて傾斜した傾斜面を有しており、反射面２３０ａの中央部が頂点となるように照明対象に向かって膨らんだ山形形状を有している。反射部材２３０の外縁は、外方に突出する３つのフランジ部２３１と、フランジ部２３１の間に形成された３つの切り欠き部２３２とを有している。反射部材２３０は、例えば、フランジ部２３１を、ベース部２１２に形成された切り起こし部２１２ｃに係合させて、ベース部２１２に取り付けられる。
【００１６】
（照明器具の設置）
図５は、図４に記載の本体部に、反射部材を取り付けた状態を模式的に記載した図であり、図６は、図５に記載の反射部材を取り付けた本体部に、適用電球を取り付けた状態を模式的に記載した図である。図４〜図６を用いて、照明器具１０００の設置について説明する。まず、図４に記載の本体部２１０を、天井等の固定対象に取り付ける。例えば、図示を省略してある電源線が、図示を省略してある天井面から引き出されている。本体部２１０の電線引出部２１２ａに、図示を省略してある電源線を通し、電源線を器具本体２００の電源端子台（図示を省略）に取り付ける。なお、図示を省略してある電源端子台は、ソケット２２０と接続されており、ソケット２２０に電力が供給されるようになっている。例えば、本体部２１０を天井面に押し当てた状態で、固定部２１２ｂにネジ２５０を挿入し、本体部２１０を天井面にネジ固定する。なお、図４では図示を省略してあるが、本体部２１０を固定対象に取り付ける段階において、本体部２１０には、ソケット２２０およびブッシュ２４０等の部材が予め取り付けられている。
【００１７】
次に、図５に示すように、反射部材２３０を、本体部２１０に取り付ける。例えば、反射部材２３０の切り欠き部２３２を、器具本体２００の切り起こし部２１２ｃに挿入し、反射部材２３０を時計回りあるいは反時計回りに回転させて、フランジ部２３１が切り起こし部２１２ｃと係合する。例えば、フランジ部２３１の切り欠き部２３２の近傍には、エンボス加工が施されており、エンボス加工が施された部分と切り起こし部２１２ｃとが接触して、反射部材２３０が振動などで脱落しないようになっている。
【００１８】
次に、図６に示すように、適用電球３００をソケット２２０に取り付ける。適用電球３００は、図３および図６に示すように、例えば、反射面２３０ａの傾斜面に合わせて傾けた状態で、反射面２３０ａの中央の頂部側から挿入し、適用電球３００のバルブ部の側部を反射面２３０ａの傾斜面に沿わせながら、ソケット２２０に取り付けられる。このときに、図３に示すように、適用電球３００と反射面２３０ａとの間に間隙が設けられるため、適用電球３００をソケット２２０に取り付けることができる。
【００１９】
最後に、図１および図２に示すように、カバー１００の開口端部を本体部２１０の筒形状部２１１の端部に合わせた状態で、カバー１００を回転させ、カバー１００を器具本体２００に螺着する。
【００２０】
図７は、図３の比較例であり、適用外電球を取り付けようとしたときの状態を説明する図であり、図８は、図６の比較例であり、適用外電球を取り付けようとしたときの状態を説明する図である。なお、図７および図８では、適用電球３００が実線で図示されており、適用外電球３５０が点線で図示されている。適用外電球３５０は、適用電球３００と比較して、大きい直径を有している。具体的には、適用外電球３５０の口金（図示を省略）から延びる球形状のバルブ部が、適用電球３００の口金（図示を省略）から延びる球形状のバルブ部と比較して、大きい直径を有している。適用外電球３５０は、例えば、１００型の電球（１００Ｗ定格の白熱電球）である。
【００２１】
図７に示すように、適用外電球３５０をソケット２２０に取り付けようとすると、反射部材２３０の反射面２３０ａが適用外電球３５０のバルブ部と当接することによって、適用外電球３５０のソケット２２０への取り付けが阻止される。図７および図８に示すように、適用外電球３５０がソケット２２０に取り付けられることを阻止する反射部材２３０の反射面２３０ａは、適用電球３００がソケット２２０に取り付けられたときに、適用電球３００が発した光を照明対象に向けて反射するため、この実施の形態によれば、光学特性が向上されている。
【００２２】
上記のように、この実施の形態に係る照明器具１０００は、電球が取り付けられる照明器具１０００であって、電球の口金が取り付けられるソケット２２０と、電球が放射した光を照明対象に向けて反射する反射面２３０ａを有する反射部材２３０と、ソケット２２０および反射部材２３０が取り付けられた本体部２１０と、を有し、反射部材２３０は、当該照明器具１０００に適用される適用電球３００と比較して大きい直径を有する適用外電球３５０をソケットに取り付けようとしたときに、反射面２３０ａが適用外電球３５０と当接して、適用外電球３５０がソケット２２０に取り付けられることを阻止する、ものである。この実施の形態に係る照明器具１０００では、適用外電球３５０の取り付けが阻止されているため、照明器具１０００を適用電球３００の仕様に合わせて設計することができる。したがって、この実施の形態によれば、照明器具１０００の設計の自由度が向上されている。
【００２３】
さらに、この実施の形態に係る照明器具１０００では、適用外電球３５０の取り付けを阻害する反射部材２３０の反射面２３０ａが、適用電球３００が発した光を照明対象に向けて反射する構成であるため、光学特性が向上されている。
【００２４】
また、この実施の形態では、反射部材２３０は、反射面２３０ａが形成された面が周囲部から中央部に向けて照明対象に向かって傾斜した傾斜面を含む山形形状を有し、適用電球３００がソケット２２０に取り付けられたときに、適用電球３００の側部が、反射面２３０ａの傾斜面と対向する。さらに、この実施の形態に係る照明器具１０００では、周方向に沿って、複数のソケット２２０が配設されており、複数の適用電球３００が山形形状の反射面２３０ａの傾斜部と対向して設置される。したがって、この実施の形態の照明器具１０００によれば、広範囲に効率良く配光を行うことができる。さらに、この実施の形態の照明器具１０００は、照明対象側から見たときに、複数の適用電球３００の間に、反射部材２３０の反射面２３０ａが位置するため、意匠性が向上されている。
【００２５】
また、この実施の形態では、本体部２１０には、照明器具１０００を固定対象に固定させる固定部２１２ｂが形成されており、固定部２１２ｂは、反射面２３０ａの裏面側で反射部材２３０に覆われている。この実施の形態では、固定部２１２ｂが反射面２３０ａの裏面側で反射部材２３０に覆われているため、意匠性および光学特性が向上されている。
【００２６】
また、この実施の形態では、本体部２１０には、ソケット２２０から延びる電線を本体部２１０の外部に引き出す電線引出部２１２ａが形成されており、電線引出部２１２ａは、反射面２３０ａの裏面側で反射部材２３０に覆われている。この実施の形態では、電線引出部２１２ａが反射面２３０ａの裏面側で反射部材２３０に覆われているため、意匠性および光学特性が向上されている。
【００２７】
また、この実施の形態の照明器具１０００に適用される適用電球３００は、内部にＬＥＤが配設されたＬＥＤ電球である。この実施の形態の照明器具１０００は、ＬＥＤ電球である適用電球３００に合わせた仕様となっているため、特に、消費電力が大きい大径の白熱電球が取り付けられることを阻止する必要性がある。なぜなら、ミニクリプトン電球等の白熱電球は、ＬＥＤ電球である適用電球３００と比較して、定格電圧が高く、定格電流が大きく、発熱量が大きい。したがって、ＬＥＤ電球に合わせた仕様となっている照明器具１０００に、大型の白熱電球が取り付けられると、照明器具１０００の異常または故障等に繋がるおそれがある。この実施の形態の照明器具１０００では、上記のように、適用電球３００と比較して大きい直径を有する適用外電球３５０が取り付けられることが阻止されるため、消費電力が大きい大径の白熱電球が取り付けられることが阻止されている。したがって、この実施の形態の照明器具１０００は、信頼性が向上されている。また、この実施の形態の照明器具１０００では、例えばソケット２２０等の構成部材の定格を、大径の白熱電球を考慮しないで選定できるため、設計の自由度が向上されている。
【００２８】
また、この実施の形態の照明器具１０００への取り付けが阻止される適用外電球３５０は、１００型の電球である。１００型（１００Ｗ定格）の白熱電球は、発熱量が大きいため、１００型の白熱電球が取り付けられる照明器具は、発熱を考慮した設計とする必要性がある。この実施の形態の照明器具１０００では、１００型の適用外電球３５０が取り付けられることが阻止されているため、照明器具１０００の設計の自由度が向上されている。
【００２９】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【符号の説明】
【００３０】
１００  カバー、１００ａ  係合部、２００  器具本体、２１０  本体部、２１１  筒形状部、２１１ａ  係合部、２１２  ベース部、２１２ａ  電線引出部、２１２ｂ  固定部、２１２ｃ  切り起こし部、２２０  ソケット、２２１  取付部、２３０  反射部材、２３０ａ  反射面、２３１  フランジ部、２３２  切り欠き部、２４０  ブッシュ、２５０  ネジ、３００  適用電球、３５０  適用外電球、１０００  照明器具。
【図１】
2016219189.tif 000003
【図２】
2016219189.tif 000004
【図３】
2016219189.tif 000005
【図４】
2016219189.tif 000006
【図５】
2016219189.tif 000007
【図６】
2016219189.tif 000008
【図７】
2016219189.tif 000009
【図８】
2016219189.tif 000010